(57)【要約】【課題】相互係合した第１及び第２のコネクタに対して電磁シールド作用をもたらす導電性のシールド部材を、部品点数の増加をまねかない比較的簡単な構成を有するものとして備えることができる相互係合コネクタ装置を提供する。【解決手段】第１の金属部材１７が取り付けられたハウジング１４を備えたリセプタクルコネクタ１１と第２の金属部材３４が固定されたハウジング３１を備えたプラグコネクタ１２とを含み、ハウジング３１がハウジング１４との嵌入係合状態をとるとき、第１の金属部材１７が第２の金属部材３４に係合して、第１の金属部材１７と第２の金属部材３４とによりハウジング１４の外側面部を包囲する金属環状体が形成され、それがリセプタクルコネクタ１１及びプラグコネクタ１２に対するシールド部材として機能するとともに、ハウジング３１がハウジング１４に対して係止される。【選択図】図１２
2016058270.tif 000002
【特許請求の範囲】
【請求項１】
第１のハウジング，該第１のハウジングに配列配置された複数の第１のコンタクト、及び、上記第１のハウジングの外面部に取り付けられた第１の金属部材を備えた第１のコネクタと、
上記第１のハウジングとの嵌入係合状態をとる第２のハウジング，該第２のハウジングに配列配置され、該第２のハウジングが上記第１のハウジングとの嵌入係合状態におかれたとき上記複数の第１のコンタクトに夫々接触接続される複数の第２のコンタクト、及び、上記第２のハウジングに固定された第２の金属部材を備えた第２のコネクタと、
を含んで構成され、
上記第１の金属部材が、各々が上記第１のハウジングの外側面部に沿って伸びる本体部と該本体部の両端部分から夫々屈曲して伸びる一対の端部とを有した第１及び第２の屈曲板状部材を含んで成り、
上記第１及び第２の屈曲板状部材の各々の一対の端部の夫々に係合部が設けられ、上記第１及び第２の屈曲板状部材が相互対向配置されることにより枠状体を形成し、
上記第２のハウジングが上記第１のハウジングとの嵌入係合状態をとるとき、上記係合部が上記第２の金属部材に係合し、それにより、上記第１の屈曲板状部材における一対の端部が上記第２の金属部材を通じて上記第２の屈曲板状部材における一対の端部に夫々連結されて、上記第１の金属部材と上記第２の金属部材とにより上記第１のハウジングの外側面部を包囲する金属環状体が形成されるとともに、上記第２の金属部材に係合した上記係合部によって上記第２のハウジングが上記第１のハウジングに対して係止されることを特徴とする相互係合コネクタ装置。
【請求項２】
上記第２の金属部材が一対設けられ、該一対の第２の金属部材が、上記第２のハウジングにおける該第２のハウジングが上記第１のハウジングとの嵌入係合状態をとるとき上記第１及び第２の屈曲板状部材の各々の一対の端部に夫々対応する部分に配されることを特徴とする請求項１記載の相互係合コネクタ装置。
【請求項３】
上記第１及び第２の屈曲板状部材の各々の一対の端部の夫々が、上記第１及び第２の屈曲板状部材のうちのいずれかにおける上記本体部との連結部分を支点部分とした上記第１のハウジングに対する離隔及び近接が可能とされた弾性可動部を形成していて、該端部に設けられた上記係合部を上記第２の金属部材に弾性的に当接係合させることを特徴とする請求項１又は２記載の相互係合コネクタ装置。
【請求項４】
上記係合部が上記弾性可動部の自由端部分に設けられ、上記第２の金属部材に上記係合部が弾性的に当接係合する被係合部が設けられていることを特徴とする請求項３記載の相互係合コネクタ装置。
【請求項５】
上記第１及び第２の屈曲板状部材の各々における上記本体部の両端部分の夫々に取付部が形成されているとともに、上記第１のハウジングに上記取付部が係合する被取付部が形成されていて、上記取付部が上記被取付部に係合せしめられて、上記第１及び第２の屈曲板状部材の各々が上記第１のハウジングの外面部に取り付けられることを特徴とする請求項１記載の相互係合コネクタ装置。
【請求項６】
上記第１及び第２の屈曲板状部材の各々における上記本体部の両端部分の夫々に、上記第１及び第２の屈曲板状部材の各々の剛性を高める段部が形成されていることを特徴とする請求項１記載の相互係合コネクタ装置。
【請求項７】
上記係合部が、上記第１及び第２の屈曲板状部材の各々の上記一対の端部の夫々から上記第１のハウジングの内側に向かって突出し、上記第１のハウジングに上記係合部を上記第１のハウジングの外側から内側に通す通路部が設けられていることを特徴とする請求項１記載の相互係合コネクタ装置。
【請求項８】
上記第１の屈曲板状部材における上記一対の端部のうちの一つに形成された係合部と上記第２の屈曲板状部材における上記一対の端部のうちの一つに形成された係合部とが、上記通路部を共通のものとして通じて、上記第１のハウジングの外側から内側に達することを特徴とする請求項７記載の相互係合コネクタ装置。
【発明の詳細な説明】
【技術分野】
【０００１】
本願の特許請求の範囲に記載された発明は、二つの配線基板（フレキシブル印刷配線基板（FPC)を含む。）に夫々取り付けて用いることができる第１及び第２のコネクタを含み、第１及び第２のコネクタが夫々取り付けられた二つの配線基板が相互に対面近接して重ね合わせられるもとで第１及び第２のコネクタが相互係合することにより、各配線基板に設けられた配線部を電気的に相互接続する相互係合コネクタ装置に関する。
【背景技術】
【０００２】
携帯電話機等の比較的小型な電子機器においても種々の電子部品が多数内蔵されるが、それらの電子部品の多くは複数の配線基板（以下、配線基板という用語は、フレキシブル印刷配線基板（FPC)を含む意味で用いられる。）に実装されて、各々の機能を果たすものとされる。各種の電子部品が実装された複数の配線基板は、例えば、それらのうちの二つについて見ると、比較的小型な電子機器の内部という限られたスペースに収容されるにあたって占有容積をできるだけ小とすべく、一方が他方に対面近接して重ね合わせられる配置をとって、各々に設けられた配線部が電気的に相互接続されるように相互連結される状態がとられる。このような二つの配線基板のうちの一方が他方に対面近接して重ね合わせられる相互連結態様を、以下においては対面近接重ね合わせ連結ということとする。
【０００３】
一般的に、複数の配線基板の夫々に設けられた配線部についての電気的相互接続は、各配線基板にコネクタが取り付けられ、それらのコネクタが相互係合することにより行われることが多く、二つの配線基板についての対面近接重ね合わせ連結をする場合においても、二つの配線基板の夫々にコネクタが取り付けられて、それらのコネクタが相互係合するものとされる。このように二つの配線基板についての対面近接重ね合わせ連結にあたって二つの配線基板の夫々に取り付けられたコネクタが相互係合する際には、二つの配線基板に挟まれた状態のもとで相互係合する二つのコネクタに対しての、外部からの電磁波ノイズ対策、即ち、外部からの電磁波ノイズに対するシールド効果を得るための対策が必要とされ、また、二つのコネクタの相互係合状態が安定に維持されるようにすることが必要とされる。そのため、従来にあっては、第１及び第２のコネクタを含んで構成され、それらの第１及び第２のコネクタが相互係合したとき両コネクタに対して電磁シールド作用をもたらす導電性のシールド部材を備えたもの、さらには、それに加えて、第１及び第２のコネクタが相互係合したとき一方を他方に対して機械的に係止する係止手段を備えたものとされた相互係合コネクタ装置が幾つか提案されている（例えば、特許文献１及び特許文献２参照。）。
【０００４】
特許文献１に示される相互係合コネクタ装置（コネクタ(10)) は、第１の配線基板（リセプタクル側実装基板(60)) に装着される第１のコネクタ（リセプタクルコネクタ(20)) と、第２の配線基板（プラグ側実装基板(140))に装着されて第１のコネクタとの相互係合状態をとる第２のコネクタ（プラグコネクタ(100))と、を備えている。第１のコネクタは、複数のリセプタクルコンタクト(50)が配列配置された第１のハウジング（インシュレータ(25)) を有しており、また、第２のコネクタは、複数のプラグコンタクト(120) が配列配置された第２のハウジング（インシュレータ(110))を有していて、第１のコネクタと第２のコネクタとが相互係合状態におかれるとき、第２のハウジングが第１のハウジングとの嵌入係合状態をとる。
【０００５】
そして、第１のコネクタには、第１のハウジングにその外側面部を包囲するものとして取り付けられる金属製のシールド部材が備えられており、このシールド部材によって、第１の配線基板と第２の配線基板とに挟まれて相互係合する第１のコネクタと第２のコネクタとに対する電磁シールド作用がもたらされると考えられる。第１のハウジングの外側面部を包囲するシールド部材は、相互対向する一対の短手用シールド部材(70)と相互対向する一対の長手用シールド部材(90)とにより構成されており、一対の短手用シールド部材(70)の夫々の両端部に一対の長手用シールド部材(90)の夫々の端部が連結されて、全体として矩形枠状体を成すものとされている。
【０００６】
一対の短手用シールド部材(70)の夫々には、第１の配線基板に向かって垂下して第１の配線基板に連結されるもの、換言すれば、第１の配線基板から立ち上がるものとされる垂下片(72)と、垂下片(72)から第１のハウジングの内側へと屈曲して伸びる板ばね部(75)とが設けられている。そして、第１のコネクタと第２のコネクタとが相互係合状態におかれて第２のハウジングが第１のハウジングとの嵌入係合状態をとるとき、第１のハウジングの内側へと伸びた板ばね部(75)が、第２のコネクタが有する第２のハウジングの外側面部に固定されて爪部(137) を有する短手用シールド部材(130) に弾性的に当接係合する。その際、垂下片(72)と板ばね部(75)とは、第１のハウジングに嵌入係合した第２のハウジングを第１のハウジングに対して係止する弾性係止手段として作用し、それにより、相互係合状態におかれた第１のコネクタ及び第２のコネクタが、第２のコネクタが第１のコネクタに対して機械的に係止されると考えられる。
【０００７】
また、特許文献２に示される相互係合コネクタ装置（コネクタユニット(100))は、第１の配線基板に装着される第１のコネクタ（レセプタクルコネクタであるコネクタ(1))と、第２の配線基板に装着されて第１のコネクタとの相互係合状態をとる第２のコネクタ（プラグコネクタである相手側コネクタ(3))と、を備えている。第１のコネクタは、複数のコンタクト(3a;3b) が配列配置された第１のハウジング（ハウジング(5))を有しており、また、第２のコネクタは、複数の相手側コンタクト(11a;11b) が配列配置された第２のハウジング（本体(9))を有していて、第１のコネクタと第２のコネクタとが相互係合状態におかれるとき、第２のハウジングが第１のハウジングとの嵌入係合状態をとる。
【０００８】
そして、第１のコネクタには、第１のハウジングにその外側面部を包囲するものとして取り付けられる金属製のシールド部材が備えられており、このシールド部材によって、第１の配線基板と第２の配線基板とに挟まれて相互係合する第１のコネクタと第２のコネクタとに対する電磁シールド作用がもたらされると考えられる。第１のハウジングの外側面部を包囲するシールド部材は、各々が長辺本体部(53)と短辺本体部(55)とそれらを連結する連結本体部(51)とを含んで「Ｊ」字形の平面形状を有するものとされた一対のシェル(7a;7b) により構成されており、一対のシェル(7a;7b) が、各々の長辺本体部(53)を相互対向させるとともに各々の連結本体部(51)を相互対向させ、一方の短辺本体部(55)の自由端を他方の長辺本体部(53)の自由端に近接させる状態をもって配されて、全体として矩形枠状体を成すものとされている。
【０００９】
なお、シールド部材を構成する一対のシェル(7a;7b) の夫々における連結本体部(55)または長辺本体部(53)には、それから第１のハウジングの内側へと伸びて、第１のコネクタと第２のコネクタとが相互係合状態におかれて第２のハウジングが第１のハウジングとの嵌入係合状態をとるとき、第２のハウジングに設けられた接地端子(12a;12b) と接触するシェル側接地部(61)が設けられている。
【先行技術文献】
【特許文献】
【００１０】
【特許文献１】特開２００８−２４３７０３号公報（段落００２５〜００３０，００３４〜００３７，図１〜９，１２〜１５，１９，２０）
【特許文献２】特開２０１２−２５２７８５号公報（段落００２７〜００５２，００７５，００７６，図１〜４，９〜１１，１４，１５）
【発明の概要】
【発明が解決しようとする課題】
【００１１】
上述のような、従来提案されている第１及び第２のコネクタを含んで構成された相互係合コネクタ装置にあっては、それらの夫々に次のような不都合が見られる。
【００１２】
先ず、特許文献１に示される相互係合コネクタ装置にあっては、第１のコネクタが備える第１のハウジングにその外側面部を包囲するものとして取り付けられ、第１の配線基板と第２の配線基板とに挟まれて相互係合する第１のコネクタと第２のコネクタとに対する電磁シールド作用をもたらすと考えられる金属製のシールド部材が、相互対向する一対の短手用シールド部材と相互対向する一対の長手用シールド部材とを含み、一対の短手用シールド部材の夫々の両端部に一対の長手用シールド部材の夫々の端部が連結されて、全体として矩形枠状体を成すものとされている。その際、短手用シールド部材の端部に対する長手用シールド部材の端部の連結は、両者間の接触抵抗の変動を抑制すべく、特殊な連結態様がとられる。
【００１３】
それにより、特許文献１に示される相互係合コネクタ装置におけるシールド部材は、部品点数の増加がまねかれるとともに、それら部品の連結に特殊な連結態様が要されることになる、複雑な構成を有するものとされていることになる。従って、特許文献１に示される相互係合コネクタ装置は、このような複雑な構成を有したシールド部材を備えたものとなるという不都合を伴っている。
【００１４】
また、第１のコネクタ及び第２のコネクタが相互係合状態におかれたもとにおいて、第１のハウジングに嵌入係合した第２のハウジングを第１のハウジングに対して係止する弾性係止手段として作用し、それにより第２のコネクタを第１のコネクタに対して機械的に係止すると考えられる、第１のコネクタが有する第１のハウジングにその外側面部を包囲するものとして取り付けられるシールド部材に設けられた垂下片と板ばね部とは、板ばね部が第２のコネクタが有する第２のハウジングの外側面部に固定された短手用シールド部材に弾性的に当接係合して、第１のハウジングに嵌入係合した第２のハウジングを第１のハウジングに対して係止するにあたり、その係止を確実なものとするためには、板ばね部が短手用シールド部材に作用させる弾性押圧力を比較的大なるものとすることが要される。そして、このような比較的大なる弾性押圧力を得るため、シールド部材に設けられた垂下片の第１の配線基板からの立上り寸法が比較的大とされることになるが、それにより、シールド部材の第１の配線基板上における厚み寸法を低減させることができず、その結果、第１のコネクタの厚み寸法の低減が困難とされて、所謂、第１のコネクタの低背化が妨げられてしまう。即ち、第１の配線基板に装着される第１のコネクタには、その厚み寸法を低減させることによる低背化が望まれるのであるが、第１のコネクタは、斯かる低背化に支障がきたされてしまうという不都合を伴っているのである。
【００１５】
また、特許文献２に示される相互係合コネクタ装置にあっては、第１のコネクタが備える第１のハウジングにその外側面部を包囲するものとして取り付けられ、第１の配線基板と第２の配線基板とに挟まれて相互係合する第１のコネクタと第２のコネクタとに対する電磁シールド作用をもたらすと考えられる金属製のシールド部材が、各々が長辺本体部と短辺本体部とそれらを連結する連結本体部とを含んで「Ｊ」字形の平面形状を有するものとされた一対のシェルにより構成されており、一対のシェルが、各々の長辺本体部を相互対向させるとともに各々の連結本体部を相互対向させ、一方の短辺本体部の自由端を他方の長辺本体部の自由端に近接させる状態をもって配されて、全体として矩形枠状体を成すものとされている。
【００１６】
従って、特許文献２に示される相互係合コネクタ装置の場合には、特許文献１に示される相互係合コネクタ装置に見られるような、シールド部材の構造に関する不都合は見られない。しかしながら、特許文献２に示される相互係合コネクタ装置には、第１のコネクタ及び第２のコネクタが相互係合状態におかれたもとで、第１のハウジングに嵌入係合した第２のハウジングを第１のハウジングに対して係止し、それにより第２のコネクタを第１のコネクタに対して機械的に係止する機能を果たす係止手段が備えられていない。
【００１７】
特許文献２に示される相互係合コネクタ装置にあっては、シールド部材を構成する一対のシェルの夫々における連結本体部または長辺本体部に、それから第１のハウジングの内側へと伸びて、第１のコネクタと第２のコネクタとが相互係合状態におかれて第２のハウジングが第１のハウジングとの嵌入係合状態をとるとき、第２のハウジングに設けられた接地端子と接触するシェル側接地部が設けられているが、斯かるシェル側接地部は、第２のハウジングに設けられた接地端子と接触してシェルに接地電位を与えるためのものであって、第１のハウジングに嵌入係合した第２のハウジングを第１のハウジングに対して係止する役割を果たすものではない。
【００１８】
このように、第１のコネクタ及び第２のコネクタが相互係合状態におかれたもとで、第１のハウジングに嵌入係合した第２のハウジングを第１のハウジングに対して係止し、それにより第２のコネクタを第１のコネクタに対して機械的に係止する係止手段を備えていない特許文献２に示される相互係合コネクタ装置は、第１及び第２のコネクタが相互係合したとき、斯かる相互係合状態を安定に維持することができなくなる虞があるという不都合を伴っていることになる。
【００１９】
斯かる点に鑑み、本願の特許請求の範囲に記載された発明は、二つの配線基板に夫々取り付けて用いることができる第１及び第２のコネクタを含み、第１及び第２のコネクタが夫々取り付けられた二つの配線基板を、対面近接重ね合わせ連結によって各々に設けられた配線部が電気的に相互接続される状態におくことができる機構を成すものであって、第１及び第２のコネクタが相互係合したとき両コネクタに対して電磁シールド作用をもたらす導電性のシールド部材を、部品点数の増加をまねかない比較的簡単な構成を有するものとして備えることができ、さらに、第１及び第２のコネクタが相互係合したとき一方を他方に対して機械的に係止する係止手段を、第１及び第２のコネクタの厚み寸法を低減させることによる低背化を妨げることなく備えることができる相互係合コネクタ装置を提供する。
【課題を解決するための手段】
【００２０】
本願の特許請求の範囲における請求項１から請求項８までのいずれかに記載された発明（以下、本願発明という。）に係る相互係合コネクタ装置は、第１のハウジング，第１のハウジングに配列配置された複数の第１のコンタクト、及び、第１のハウジングの外面部に取り付けられた第１の金属部材を備えた第１のコネクタと、第１のハウジングとの嵌入係合状態をとる第２のハウジング，第２のハウジングに配列配置され、第２のハウジングが第１のハウジングとの嵌入係合状態におかれたとき複数の第１のコンタクトに夫々接触接続される複数の第２のコンタクト、及び、第２のハウジングに固定された第２の金属部材を備えた第２のコネクタと、を含んで構成される。そして、第１の金属部材が、各々が第１のハウジングの外側面部に沿って伸びる本体部と本体部の両端部分から夫々屈曲して伸びる一対の端部とを有した第１及び第２の屈曲板状部材を含んで成り、第１及び第２の屈曲板状部材の各々の一対の端部の夫々に係合部が設けられ、第１及び第２の屈曲板状部材が相互対向配置されることにより枠状体を形成し、第２のハウジングが第１のハウジングとの嵌入係合状態をとるとき、係合部が第２の金属部材に係合し、それにより、第１の屈曲板状部材における一対の端部が第２の金属部材を通じて第２の屈曲板状部材における一対の端部に夫々連結されて、第１の金属部材と第２の金属部材とにより第１のハウジングの外側面部を包囲する金属環状体が形成されるとともに、第２の金属部材に係合した係合部によって第２のハウジングが第１のハウジングに対して係止されることを特徴とするものとされる。
【００２１】
特に、本願の特許請求の範囲における請求項３に記載された本願発明に係る相互係合コネクタ装置においては、第１の金属部材を構成する第１及び第２の屈曲板状部材の各々の一対の端部の夫々が、第１及び第２の屈曲板状部材のうちのいずれかにおける本体部との連結部分を支点部分とした第１のハウジングに対する離隔及び近接が可能とされた弾性可動部を形成していて、それに設けられた係合部を第２の金属部材に弾性的に当接係合させる。
【００２２】
上述のような本願発明に係る相互係合コネクタ装置にあっては、第２のコネクタの第２のハウジングが第１のコネクタの第１のハウジングとの嵌入係合状態をとるとき、第２のコネクタにおける複数の第２のコンタクトが第１のコネクタにおける複数の第１のコンタクトに夫々接触接続されるとともに、第１の金属部材を構成する第１及び第２の屈曲板状部材の各々の一対の端部の夫々に設けられた係合部が第２の金属部材に係合する。そして、第１の金属部材を構成する第１及び第２の屈曲板状部材の各々の一対の端部における係合部が第２の金属部材に係合することにより、第１の屈曲板状部材における一対の端部が第２の金属部材を通じて第２の屈曲板状部材における一対の端部に夫々連結されて、第１の金属部材と第２の金属部材とにより第１のハウジングの外側面部を包囲する金属環状体が形成されて、斯かる金属環状体が、第１のハウジングを有した第１のコネクタと第１のハウジングに嵌入係合した第２のハウジングを有した第２のコネクタに対して電磁シールド作用をもたらすシールド部材として機能する。また、それに加えて、第１の金属部材を構成する第１及び第２の屈曲板状部材の各々の一対の端部における係合部が第２の金属部材に係合したもとにあっては、第２の金属部材に係合した係合部によって第２のハウジングが第１のハウジングに対して係止される。
【００２３】
このようなもとで、第１の金属部材を構成する第１及び第２の屈曲板状部材の各々の一対の端部の夫々は、例えば、第１及び第２の屈曲板状部材のうちのいずれかにおける本体部との連結部分を支点部分とした第１のハウジングに対する離隔及び近接が可能とされた弾性可動部を形成していて、それに設けられた係合部を第２の金属部材に弾性的に当接係合させる。従って、第１のコネクタが配線基板に装着されて第１のハウジングが配線基板の面上に配されるときには、各々が第１のハウジングの外側面部に沿って伸びる本体部と本体部の両端部分から夫々屈曲して伸びる一対の端部とを有した第１及び第２の屈曲板状部材の各々の一対の端部が、第１のハウジングが配された配線基板の面に沿う方向において弾性揺動するものとなり、それにより、それに設けられた係合部が第２の金属部材に弾性的に当接係合せしめられる。
【発明の効果】
【００２４】
本願発明に係る相互係合コネクタ装置にあっては、第１のコネクタが備える第１のハウジングの外面部に第１及び第２の屈曲板状部材によって構成される第１の金属部材が取り付けられるとともに、第２のコネクタが備える第２のハウジングに第２の金属部材が取り付けられたもとで、第１及び第２のコネクタが相互係合して、第２のコネクタの第２のハウジングが第１のコネクタの第１のハウジングとの嵌入係合状態をとるとき、第１の金属部材を構成する第１及び第２の屈曲板状部材の各々の一対の端部の夫々に設けられた係合部が第２の金属部材に係合し、それにより、第１の屈曲板状部材における一対の端部が第２の金属部材を通じて第２の屈曲板状部材における一対の端部に夫々連結されて、第１の金属部材と第２の金属部材とにより第１のハウジングの外側面部を包囲する金属環状体が形成されて、その金属環状体が、第１のハウジングを有した第１のコネクタと第１のハウジングに嵌入係合した第２のハウジングを有した第２のコネクタに対して電磁シールド作用をもたらすシールド部材として機能するものとされる。従って、本願発明に係る相互係合コネクタ装置は、第１及び第２のコネクタが相互係合したとき両コネクタに対して電磁シールド作用をもたらす導電性のシールド部材を、部品点数の増加をまねかない比較的簡単な構成を有するものとして備えることができるものとなる。
【００２５】
また、本願発明に係る相互係合コネクタ装置にあっては、第１及び第２のコネクタが相互係合して、第２のコネクタの第２のハウジングが第１のコネクタの第１のハウジングとの嵌入係合状態をとるとき、第１のハウジングの外面部に取り付けられた第１の金属部材を構成する第１及び第２の屈曲板状部材の各々の一対の端部の夫々に設けられた係合部が、第２のハウジングに取り付けられた第２の金属部材に係合するが、このように係合部が第２の金属部材に係合したもとにあっては、第２の金属部材に係合した係合部によって第２のハウジングが第１のハウジングに対して係止される。従って、本願発明に係る相互係合コネクタ装置は、第１及び第２のコネクタが相互係合したとき一方を他方に対して機械的に係止する係止手段を備えていることになる。
【００２６】
そして、本願発明に係る相互係合コネクタ装置における、第１の金属部材を構成する第１及び第２の屈曲板状部材の各々の一対の端部の夫々は、例えば、第１及び第２の屈曲板状部材のうちのいずれかにおける第１のハウジングの外側面部に沿って伸びる本体部との連結部分を支点部分とした、第１のハウジングに対する離隔及び近接が可能とされた弾性可動部を形成していて、それに設けられた係合部を第２の金属部材に弾性的に当接係合させるものとされるので、第１のコネクタが配線基板に装着されて第１のハウジングが配線基板の面上に配されるときには、第１及び第２の屈曲板状部材の各々の一対の端部が、第１のハウジングが配された配線基板の面に沿う方向において弾性揺動するものとなって、それに設けられた係合部を第２の金属部材に弾性的に当接係合させる。それにより、第１の金属部材を構成する第１及び第２の屈曲板状部材の夫々は、第１のハウジングが配された配線基板の面から突出する方向の寸法の増大をまねくことなく、その一対の端部の夫々に設けられた係合部を比較的大なる弾性押圧力をもって第２の金属部材に当接係合させて、第２のハウジングについての第１のハウジングに対する係止を確実に行うことができる。そして、第１及び第２の屈曲板状部材の夫々が、第１のハウジングが配された配線基板の面から突出する方向の寸法の増大をまねかないものとされることは、第１のコネクタ及びそれに係合する第２のコネクタについて、それらの厚み寸法を低減させて低背化を図ることができることになる。従って、本願発明に係る相互係合コネクタ装置は、第１及び第２のコネクタが相互係合したとき一方を他方に対して機械的に係止する係止手段を、第１及び第２のコネクタの厚み寸法を低減させることによる低背化を妨げることなく備えることができるものとなる。
【図面の簡単な説明】
【００２７】
【図１】本願発明に係る相互係合コネクタ装置の一例を構成するリセプタクルコネクタ及びプラグコネクタを、リセプタクルコネクタが配線基板に取り付けられたもとで相互に分離された状態をもって示す斜視図である。
【図２】図１に示されるリセプタクルコネクタを示す平面図である。
【図３】図１に示されるリセプタクルコネクタが備える第１のハウジング，複数の第１のコンタクト及び第１の金属部材を、第１の金属部材が第１のハウジングから分離された状態をもって示す斜視図である。
【図４】図２における一点鎖線枠Ｂ内を拡大して示す部分平面図である。
【図５】図１における一点鎖線枠Ａ内を拡大して示す部分斜視図である。
【図６】図１に示されるプラグコネクタが備える第２のハウジング，複数の第２のコンタクト及び一対の第２の金属部材を、一対の第２の金属部材が第２のハウジングから分離された状態をもって示す斜視図である。
【図７】図６における一点鎖線円Ｃ内を拡大して示す斜視図である。
【図８】図１に示されるリセプタクルコネクタとプラグコネクタとが相互嵌合した状態を示す斜視図である。
【図９】図１に示されるリセプタクルコネクタとプラグコネクタとが相互嵌合した状態を示す平面図である。
【図１０】図１に示されるリセプタクルコネクタとプラグコネクタとが相互嵌合した状態を示す側面図である。
【図１１】図１０におけるXI−XI線断面を示す断面図である。
【図１２】図１０における XII−XII 線断面を示す断面図である。
【発明を実施するための形態】
【００２８】
本願発明を実施するための形態は、以下に述べられる本願発明についての実施例をもって説明される。
【実施例】
【００２９】
図１は、本願発明に係る相互係合コネクタ装置の一例を構成する第１のコネクタを成すリセプタクルコネクタ１１と第２のコネクタを成すプラグコネクタ１２とを相互に分離された状態をもって示す。リセプタクルコネクタ１１は、配線基板１３に装着されている。
【００３０】
図１に示される第１のコネクタを成すリセプタクルコネクタ１１は、図２及び図３にも示されるように、合成樹脂等の絶縁材料によって形成されたハウジング１４（第１のハウジング）を備えており、ハウジング１４は配線基板１３における図１において上方に向いた面（以下、上面という。）に配されている。
【００３１】
ハウジング１４には、各々が弾性を有した導電性板材により形成された屈曲帯状部材を成す複数のリセプタクル側シグナルコンタクト１５及びリセプタクル側グラウンドコンタクト１６（第１のコンタクト）が２個の列を成すものとされて配列配置されている。リセプタクル側シグナルコンタクト１５とリセプタクル側グラウンドコンタクト１６とは、隣り合う 2個のリセプタクル側グラウンドコンタクト１６の間に複数個のリセプタクル側シグナルコンタクト１５が配される態様をもって配列されている。そして、複数のリセプタクル側シグナルコンタクト１５の夫々には、配線基板１３の上面に設けられたシグナル用配線端子部１３Ｓ（図５に示されている。）に接続される基板接続部１５ａと、後述されるプラグコネクタ１２に備えられるプラグ側シグナルコンタクトに当接する接触接続部１５ｂとが設けられている。また、複数のリセプタクル側グラウンドコンタクト１６の夫々にも、配線基板１３の上面に設けられたグラウンド用配線端子部１３Ｇ（図５に示されている。）に接続される基板接続部１６ａと、後述されるプラグコネクタ１２に備えられるプラグ側グラウンドコンタクトに当接する接触接続部１６ｂとが設けられている。
【００３２】
また、ハウジング１４の外面部には、第１の金属部材１７が取り付けられている。第１の金属部材１７は、図３にハウジング１４から分離された状態をもって示されていて、斯かる図３から明瞭に把握できるように、第１の屈曲板状部材１８Ａと第２の屈曲板状部材１８Ｂとを含んで構成されている。
【００３３】
第１の屈曲板状部材１８Ａは、弾性を有した金属板材に打抜き・曲げ加工が施されて形成され、第１の金属部材１７がハウジング１４の外面部に取り付けられたときハウジング１４の外側面部に沿って帯状に伸びる本体部２０Ａと、本体部２０Ａの両端部分から夫々屈曲して伸びる一対の端部２１Ａと、を有している。本体部２０Ａには、それが伸びる方向に沿って所定の間隔を置いた複数のコンタクト係合部２２Ａが設けられている。複数のコンタクト係合部２２Ａの夫々は二股形状を成しており、第１の金属部材１７がハウジング１４の外面部に取り付けられたとき、二股形状を成したコンタクト係合部２２Ａが複数のリセプタクル側グラウンドコンタクト１６のうちの対応するものの基板接続部１６ａに係合する。また、本体部２０Ａの両端部分の夫々には、第１の屈曲板状部材１８Ａの剛性を高める段部２３Ａが形成されており、それに加えて、第１の金属部材１７がハウジング１４の外面部に取り付けられたとき、ハウジング１４に形成された被取付部１４ａに係合する取付部２４Ａが形成されている。さらに、一対の端部２１Ａの夫々には、その先端部分に、第１の金属部材１７がハウジング１４の外面部に取り付けられたときハウジング１４の内側に向かって突出することになる係合部２５Ａが形成されている。
【００３４】
このようなもとで、第１の屈曲板状部材１８Ａにおける本体部２０Ａの両端部分の夫々に形成された取付部２４Ａがハウジング１４に形成された被取付部１４ａに係合せしめられて、第１の屈曲板状部材１８Ａがハウジング１４の外側面部に取り付けられる。そして、第１の屈曲板状部材１８Ａの一対の端部２１Ａの夫々は、第１の屈曲板状部材１８Ａの本体部２０Ａとの連結部分を支点部分とした弾性可動部であって、第１の屈曲板状部材１８Ａがハウジング１４の外側面部に取り付けられたときハウジング１４に対する離隔及び近接が可能とされたものを形成している。従って、一対の端部２１Ａの夫々の先端部分に形成された係合部２５Ａは、端部２１Ａが形成する弾性可動部の自由端部分に設けられていることになる。
【００３５】
第１の屈曲板状部材１８Ａと同様に、第２の屈曲板状部材１８Ｂは、弾性を有した金属板材に打抜き・曲げ加工が施されて形成され、第１の金属部材１７がハウジング１４の外面部に取り付けられたときハウジング１４の外側面部に沿って帯状に伸びる本体部２０Ｂと、本体部２０Ｂの両端部分から夫々屈曲して伸びる一対の端部２１Ｂと、を有している。本体部２０Ｂには、それが伸びる方向に沿って所定の間隔を置いた複数のコンタクト係合部２２Ｂが設けられている。複数のコンタクト係合部２２Ｂの夫々は二股形状を成しており、第１の金属部材１７がハウジング１４の外面部に取り付けられたとき、二股形状を成したコンタクト係合部２２Ｂが複数のリセプタクル側グラウンドコンタクト１６のうちの対応するものの基板接続部１６ａに係合する。また、本体部２０Ｂの両端部分の夫々には、第１の屈曲板状部材１８Ｂの剛性を高める段部２３Ｂが形成されており、それに加えて、第１の金属部材１７がハウジング１４の外面部に取り付けられたとき、ハウジング１４に形成された被取付部１４ａに係合する取付部２４Ｂが形成されている。さらに、一対の端部２１Ｂの夫々には、その先端部分に、第１の金属部材１７がハウジング１４の外面部に取り付けられたときハウジング１４の内側に向かって突出することになる係合部２５Ｂが形成されている。
【００３６】
このようなもとで、第２の屈曲板状部材１８Ｂにおける本体部２０Ｂの両端部分の夫々に形成された取付部２４Ｂがハウジング１４に形成された被取付部１４ａに係合せしめられて、第２の屈曲板状部材１８Ｂがハウジング１４の外側面部に取り付けられる。そして、第２の屈曲板状部材１８Ｂの一対の端部２１Ｂの夫々は、第２の屈曲板状部材１８Ｂの本体部２０Ｂとの連結部分を支点部分とした弾性可動部であって、第２の屈曲板状部材１８Ｂがハウジング１４の外側面部に取り付けられたときハウジング１４に対する離隔及び近接が可能とされたものを形成している。従って、一対の端部２１Ｂの夫々の先端部分に形成された係合部２５Ｂは、端部２１Ｂが形成する弾性可動部の自由端部分に設けられていることになる。
【００３７】
上述のようにして、第１の屈曲板状部材１８Ａと第２の屈曲板状部材１８Ｂとがハウジング１４の外側面部に取り付けられたときには、第１の屈曲板状部材１８Ａ及び第２の屈曲板状部材１８Ｂによって構成される第１の金属部材１７がハウジング１４の外面部に取り付けられたことになる。そして、斯かるもとにあっては、第１の屈曲板状部材１８Ａの一対の端部２１Ａの夫々の先端部分に形成された係合部２５Ａと第２の屈曲板状部材１８Ｂの一対の端部２１Ｂの夫々の先端部分に形成された係合部２５Ｂとが相互対向して近接した位置に配される。
【００３８】
ハウジング１４における複数のリセプタクル側シグナルコンタクト１５及びリセプタクル側グラウンドコンタクト１６の配列方向の両端部には、上述の被取付部１４ａが複数個設けられており、それに加えて、各々が、第１の金属部材１７がハウジング１４の外面部に取り付けられたとき、第１の屈曲板状部材１８Ａの一対の端部２１Ａの夫々の先端部分に形成された係合部２５Ａと第２の屈曲板状部材１８Ｂの一対の端部２１Ｂの夫々の先端部分に形成された係合部２５Ｂとを相互近接した状態をもってハウジング１４の外側から内側に通すものとされた、一対の通路部１４ｂが夫々設けられている。それにより、図２における一点鎖線枠Ｂ内を拡大して示す図４に明瞭に示されるように、第１の屈曲板状部材１８Ａの一対の端部２１Ａの夫々の先端部分に形成された係合部２５Ａと第２の屈曲板状部材１８Ｂの一対の端部２１Ｂの夫々の先端部分に形成された係合部２５Ｂとは、相互近接した状態をもってハウジング１４に設けられた一対の通路部１４ｂのうちの一つを共通のものとして通じて、ハウジング１４の外側から内側に達することになる。
【００３９】
図１における一点鎖線枠Ａ内を拡大して示す図５に示されるように、複数のリセプタクル側グラウンドコンタクト１６の夫々における、配線基板１３の上面に設けられたグラウンド用配線端子部１３Ｇに接続される基板接続部１６ａには、他の部分より狭幅とされた括れ部分１６ａｎが形成されている。そして、第１の金属部材１７がハウジング１４の外面部に取り付けられたもとにあっては、第１の金属部材１７を構成する第２の屈曲板状部材１８Ｂの本体部２０Ｂに設けられた、各々が二股形状を成す複数のコンタクト係合部２２Ｂの夫々が、リセプタクル側グラウンドコンタクト１６の基板接続部１６ａにおける括れ部分１６ａｎに係合する。それにより、複数のコンタクト係合部２２Ｂの夫々が、それが係合するリセプタクル側グラウンドコンタクト１６の基板接続部１６ａにおける括れ部分１６ａｎによって位置規制され、その結果、複数のコンタクト係合部２２Ｂが設けられた第２の屈曲板状部材１８Ｂの本体部２０Ｂのハウジング１４の外側面部に対する位置が規制される。
【００４０】
また、第１の金属部材１７がハウジング１４の外面部に取り付けられたもとにあっては、図示はされていないが、複数のコンタクト係合部２２Ｂと同様に、第１の金属部材１７を構成する第１の屈曲板状部材１８Ａの本体部２０Ａに設けられた、各々が二股形状を成す複数のコンタクト係合部２２Ａの夫々も、リセプタクル側グラウンドコンタクト１６の基板接続部１６ａにおける括れ部分１６ａｎに係合する。それにより、複数のコンタクト係合部２２Ａの夫々が、それが係合するリセプタクル側グラウンドコンタクト１６の基板接続部１６ａにおける括れ部分１６ａｎによって位置規制され、その結果、複数のコンタクト係合部２２Ａが設けられた第１の屈曲板状部材１８Ａの本体部２０Ａのハウジング１４の外側面部に対する位置が規制される。
【００４１】
図１に示される第２のコネクタを成すプラグコネクタ１２は、合成樹脂等の絶縁材料によって形成されたハウジング３１（第２のハウジング）を備えており、実用に供される際には、図示が省略された他の配線基板（以下、プラグコネクタ側配線基板という。）に装着されて、ハウジング３１が、リセプタクルコネクタ１１のハウジング１４が配された配線基板１３に対面近接するものとされるプラグコネクタ側配線基板に配される。そして、ハウジング３１は、リセプタクルコネクタ１１とプラグコネクタ１２とが相互係合状態におかれるとき、リセプタクルコネクタ１１のハウジング１４に嵌入係合するものとされる。
【００４２】
斯かるハウジング３１には、各々が弾性を有した導電性板材により形成された屈曲帯状部材を成す複数のプラグ側シグナルコンタクト３２及びプラグ側グラウンドコンタクト３３（第２のコンタクト）が２個の列を成すものとされて配列配置されている。プラグ側シグナルコンタクト３２とプラグ側グラウンドコンタクト３３とは、隣り合う 2個のプラグ側グラウンドコンタクト３３の間に複数個のプラグ側シグナルコンタクト３２が配される態様をもって配列されている。そして、複数のプラグ側シグナルコンタクト３２の夫々には、プラグコネクタ側配線基板に設けられたシグナル用配線端子部（図示されていない。）に接続される基板接続部３２ａと、リセプタクルコネクタ１１に備えられるリセプタクル側シグナルコンタクト１５における接触接続部１５ｂが当接する接触接続部３２ｂ（図１１に示されている。）とが設けられている。また、複数のプラグ側グラウンドコンタクト３３の夫々にも、プラグコネクタ側配線基板に設けられたグラウンド用配線端子部（図示されていない。）に接続される基板接続部３３ａと、リセプタクルコネクタ１１に備えられるリセプタクル側グラウンドコンタクト１６における接触接続部１６ｂが当接する接触接続部（図示されていない。）とが設けられている。
【００４３】
また、ハウジング３１における複数のプラグ側シグナルコンタクト３２及びプラグ側グラウンドコンタクト３３の配列方向の両端部には、一対の第２の金属部材３４が、複数のプラグ側シグナルコンタクト３２及びプラグ側グラウンドコンタクト３３の配列方向において相互対向するものとして固定されている。これら一対の第２の金属部材３４の夫々は、ハウジング３１における、ハウジング３１がリセプタクルコネクタ１１のハウジング１４との嵌入係合状態をとるとき、ハウジング１４に取り付けられた第１の屈曲板状部材１８Ａの一対の端部２１Ａのうちの一つとハウジング１４に取り付けられた第２の屈曲板状部材１８Ｂの一対の端部２１Ｂのうちの一つとの組に対応する部分に配されていることになり、一対の端部２１Ａのうちの一つの先端部分に形成された係合部２５Ａと一対の端部２１Ｂのうちの一つの先端部分に形成された係合部２５Ｂとが、第２の金属部材３４に当接係合する。
【００４４】
一対の第２の金属部材３４の夫々は、肉厚を比較的大とする金属板材に打抜き・曲げ加工が施されて形成される。図６は、プラグコネクタ１２のハウジング３１から一対の第２の金属部材３４が分離された状態を示す。図６における一点鎖線円Ｃ内を拡大して示す図７に明瞭に示されるように、一対の第２の金属部材３４の夫々は、ハウジング３１の端部に固定される板状固定部３５と板状固定部３５からハウジング３１の端部の外部に臨むべく折り返して伸びる折返部３６とを有している。そして、折返部３６には、両端部に一対の第２の金属部材３４が夫々固定されたハウジング３１がリセプタクルコネクタ１１のハウジング１４との嵌入係合状態をとって、ハウジング１４に取り付けられた第１の屈曲板状部材１８Ａの一対の端部２１Ａのうちの一つの先端部分に形成された係合部２５Ａとハウジング１４に取り付けられた第２の屈曲板状部材１８Ｂの一対の端部２１Ｂのうちの一つの先端部分に形成された係合部２５Ｂとが第２の金属部材３４に当接係合するとき、それらの係合部２５Ａと係合部２５Ｂとを受ける被係合部３７が設けられている。
【００４５】
図８，図９及び図１０は、配線基板１３に装着されたリセプタクルコネクタ１１とプラグコネクタ１２とが相互嵌合した状態を、プラグコネクタ１２が装着されたプラグコネクタ側配線基板の図示を省略して示している。リセプタクルコネクタ１１とプラグコネクタ１２とが相互嵌合状態におかれたときには、両端部に一対の第２の金属部材３４が夫々固定されたプラグコネクタ１２のハウジング３１が、外側面部に第１の屈曲板状部材１８Ａ及び第２の屈曲板状部材１８Ｂが取り付けられたリセプタクルコネクタ１１のハウジング１４に嵌入係合したものとされる。
【００４６】
プラグコネクタ１２のハウジング３１がリセプタクルコネクタ１１のハウジング１４に嵌入係合したもとにあっては、図１０におけるXI-XI 線断面を示す図１１に示されるように、リセプタクルコネクタ１１の複数のリセプタクル側シグナルコンタクト１５の夫々における接触接続部１５ｂが、プラグコネクタ１２の複数のプラグ側シグナルコンタクト３２の夫々における接触接続部３２ｂに当接する。それにより、複数のプラグ側シグナルコンタクト３２が複数のリセプタクル側シグナルコンタクト１５に夫々電気的に接続され、プラグコネクタ１２が装着されたプラグコネクタ側配線基板に設けられたシグナル用配線端子部が、複数のプラグ側シグナルコンタクト３２及び複数のリセプタクル側シグナルコンタクト１５を通じて、リセプタクルコネクタ１１が装着された配線基板１３に設けられたシグナル用配線端子部１３Ｓに連結される。
【００４７】
また、図示は省略されているが、リセプタクルコネクタ１１の複数のリセプタクル側グラウンドコンタクト１６の夫々における接触接続部１６ｂが、プラグコネクタ１２の複数のプラグ側グラウンドコンタクト３３の夫々における接触接続部に当接する。それにより、複数のプラグ側グラウンドコンタクト３３が複数のリセプタクル側グラウンドコンタクト１６に夫々電気的に接続され、プラグコネクタ１２が装着されたプラグコネクタ側配線基板に設けられたグラウンド用配線端子部が、複数のプラグ側グラウンドコンタクト３３及び複数のリセプタクル側グラウンドコンタクト１６を通じて、リセプタクルコネクタ１１が装着された配線基板１３に設けられたグラウンド用配線端子部１３Ｇに連結される。
【００４８】
さらに、プラグコネクタ１２のハウジング３１がリセプタクルコネクタ１１のハウジング１４に嵌入係合したもとにあっては、リセプタクルコネクタ１１のハウジング１４の外面部に取り付けられた第１の金属部材１７が第１の屈曲板状部材１８Ａ及び第２の屈曲板状部材１８Ｂによって構成されるもとで、図１０におけるXII-XII 線断面を示す図１２に示されるように、第１の屈曲板状部材１８Ａの一対の端部２１Ａのうちの一方の先端部分に設けられた係合部２５Ａ及び第２の屈曲板状部材１８Ｂの一対の端部２１Ｂのうちの一方の先端部分に設けられた係合部２５Ｂが、プラグコネクタ１２のハウジング３１の両端部に夫々固定された一対の第２の金属部材３４のうちの一方に、それにおける被係合部３７に当接して当接係合する。また、図示は省略されているが、第１の屈曲板状部材１８Ａの一対の端部２１Ａのうちの他方の先端部分に設けられた係合部２５Ａ及び第２の屈曲板状部材１８Ｂの一対の端部２１Ｂのうちの他方の先端部分に設けられた係合部２５Ｂが、プラグコネクタ１２のハウジング３１の両端部に夫々固定された一対の第２の金属部材３４のうちの他方に、それにおける被係合部３７に当接して当接係合する。
【００４９】
このようにして、第１の屈曲板状部材１８Ａの一対の端部２１Ａのうちの一方の先端部分に設けられた係合部２５Ａ及び第２の屈曲板状部材１８Ｂの一対の端部２１Ｂのうちの一方の先端部分に設けられた係合部２５Ｂが一対の第２の金属部材３４のうちの一方に当接係合するとともに、第１の屈曲板状部材１８Ａの一対の端部２１Ａのうちの他方の先端部分に設けられた係合部２５Ａ及び第２の屈曲板状部材１８Ｂの一対の端部２１Ｂのうちの他方の先端部分に設けられた係合部２５Ｂが一対の第２の金属部材３４のうちの他方に当接係合することにより、第１の屈曲板状部材１８Ａにおける一対の端部２１Ａが一対の第２の金属部材３４を通じて第２の屈曲板状部材１８Ｂにおける一対の端部２１Ｂに夫々連結されて、第１の金属部材１７を構成する第１の屈曲板状部材１８Ａ及び第２の屈曲板状部材１８Ｂと一対の第２の金属部材３４とによりリセプタクルコネクタ１１のハウジング１４の外側面部を包囲する金属環状体が形成される。斯かる第１の金属部材１７を構成する第１の屈曲板状部材１８Ａ及び第２の屈曲板状部材１８Ｂと一対の第２の金属部材３４とにより形成される金属環状体は、ハウジング１４を有したリセプタクルコネクタ１１とハウジング１４に嵌入係合したハウジング３１を有したプラグコネクタ１２に対して電磁シールド作用をもたらすシールド部材として機能する。
【００５０】
また、第１の屈曲板状部材１８Ａの一対の端部２１Ａのうちの一方の先端部分に設けられた係合部２５Ａ及び第２の屈曲板状部材１８Ｂの一対の端部２１Ｂのうちの一方の先端部分に設けられた係合部２５Ｂが一対の第２の金属部材３４のうちの一方に当接係合するとともに、第１の屈曲板状部材１８Ａの一対の端部２１Ａのうちの他方の先端部分に設けられた係合部２５Ａ及び第２の屈曲板状部材１８Ｂの一対の端部２１Ｂのうちの他方の先端部分に設けられた係合部２５Ｂが一対の第２の金属部材３４のうちの他方に当接係合したもとにあっては、一対の第２の金属部材３４の夫々に当接係合した係合部２５Ａ及び係合部２５Ｂによってプラグコネクタ１２のハウジング３１がリセプタクルコネクタ１１のハウジング１４に対して係止される。
【００５１】
このようなもとで、第１の屈曲板状部材１８Ａの一対の端部２１Ａの夫々は、第１の屈曲板状部材１８Ａの本体部２０Ａとの連結部分を支点部分としたハウジング１４に対する離隔及び近接が可能とされた弾性可動部を形成していて、その先端部分に設けられた係合部２５Ａを第２の金属部材３４に弾性的に当接係合させる。従って、ハウジング１４の外側面部に沿って伸びる本体部２０Ａと本体部２０Ａの両端部分から夫々屈曲して伸びる一対の端部２１Ａとを有した第１の屈曲板状部材１８Ａの一対の端部２１Ａが、ハウジング１４が配された配線基板１３の面に沿う方向において弾性揺動するものとなり、それにより、それに設けられた係合部２５Ａが第２の金属部材３４に弾性的に当接係合せしめられる。同様に、第２の屈曲板状部材１８Ｂの一対の端部２１Ｂの夫々は、第２の屈曲板状部材１８Ｂの本体部２０Ｂとの連結部分を支点部分としたハウジング１４に対する離隔及び近接が可能とされた弾性可動部を形成していて、その先端部分に設けられた係合部２５Ｂを第２の金属部材３４に弾性的に当接係合させる。従って、ハウジング１４の外側面部に沿って伸びる本体部２０Ｂと本体部２０Ｂの両端部分から夫々屈曲して伸びる一対の端部２１Ｂとを有した第２の屈曲板状部材１８Ｂの一対の端部２１Ｂが、ハウジング１４が配された配線基板１３の面に沿う方向において弾性揺動するものとなり、それにより、それに設けられた係合部２５Ｂが第２の金属部材３４に弾性的に当接係合せしめられる。
【００５２】
上述のようなリセプタクルコネクタ１１とプラグコネクタ１２と含んで構成される本願発明に係る相互係合コネクタ装置の一例にあっては、リセプタクルコネクタ１１が備えるハウジング１４の外面部に第１の屈曲板状部材１８Ａ及び第２の屈曲板状部材１８Ｂによって構成される第１の金属部材１７が取り付けられるとともに、プラグコネクタ１２が備えるハウジング３１の両端部に一対の第２の金属部材が夫々取り付けられたもとで、リセプタクルコネクタ１１とプラグコネクタ１２とが相互係合状態をとってプラグコネクタ１２のハウジング３１がリセプタクルコネクタ１１のハウジング１４に嵌入係合したとき、第１の屈曲板状部材１８Ａの一対の端部２１Ａのうちの一方の先端部分に設けられた係合部２５Ａ及び第２の屈曲板状部材１８Ｂの一対の端部２１Ｂのうちの一方の先端部分に設けられた係合部２５Ｂが一対の第２の金属部材３４のうちの一方に当接係合するとともに、第１の屈曲板状部材１８Ａの一対の端部２１Ａのうちの他方の先端部分に設けられた係合部２５Ａ及び第２の屈曲板状部材１８Ｂの一対の端部２１Ｂのうちの他方の先端部分に設けられた係合部２５Ｂが一対の第２の金属部材３４のうちの他方に当接係合し、それにより、第１の屈曲板状部材１８Ａにおける一対の端部２１Ａが一対の第２の金属部材３４を通じて第２の屈曲板状部材１８Ｂにおける一対の端部２１Ｂに夫々連結されて、第１の屈曲板状部材１８Ａ及び第２の屈曲板状部材１８Ｂと一対の第２の金属部材３４とによりリセプタクルコネクタ１１のハウジング１４の外側面部を包囲する金属環状体が形成されて、斯かる金属環状体が、ハウジング１４を有したリセプタクルコネクタ１１とハウジング１４に嵌入係合したハウジング３１を有したプラグコネクタ１２に対して電磁シールド作用をもたらすシールド部材として機能するものとされる。従って、本願発明に係る相互係合コネクタ装置の一例は、リセプタクルコネクタ１１とプラグコネクタ１２とが相互係合状態をとるとき両コネクタに対して電磁シールド作用をもたらす導電性のシールド部材を、部品点数の増加をまねかない比較的簡単な構成を有するものとして備えることができるものとなる。
【００５３】
また、本願発明に係る相互係合コネクタ装置の一例にあっては、リセプタクルコネクタ１１とプラグコネクタ１２とが相互係合状態をとってプラグコネクタ１２のハウジング３１がリセプタクルコネクタ１１のハウジング１４に嵌入係合したとき、第１の屈曲板状部材１８Ａの一対の端部２１Ａのうちの一方の先端部分に設けられた係合部２５Ａ及び第２の屈曲板状部材１８Ｂの一対の端部２１Ｂのうちの一方の先端部分に設けられた係合部２５Ｂが一対の第２の金属部材３４のうちの一方に当接係合するとともに、第１の屈曲板状部材１８Ａの一対の端部２１Ａのうちの他方の先端部分に設けられた係合部２５Ａ及び第２の屈曲板状部材１８Ｂの一対の端部２１Ｂのうちの他方の先端部分に設けられた係合部２５Ｂが一対の第２の金属部材３４のうちの他方に当接係合するが、このように係合部２５Ａ及び係合部２５Ｂが一対の第２の金属部材３４の夫々に当接係合したもとにあっては、一対の第２の金属部材３４の夫々に当接係合した係合部２５Ａ及び係合部２５Ｂによってプラグコネクタ１２のハウジング３１がリセプタクルコネクタ１１のハウジング１４に対して係止される。従って、本願発明に係る相互係合コネクタ装置の一例は、リセプタクルコネクタ１１とプラグコネクタ１２とが相互係合したとき一方を他方に対して機械的に係止する係止手段を備えていることになる。
【００５４】
そして、本願発明に係る相互係合コネクタ装置の一例においては、第１の屈曲板状部材１８Ａの一対の端部２１Ａの夫々は、第１の屈曲板状部材１８Ａにおけるリセプタクルコネクタ１１のハウジング１４の外側面部に沿って伸びる本体部２０Ａとの連結部分を支点部分とした、ハウジング１４に対する離隔及び近接が可能とされた弾性可動部を形成していて、その先端部分に設けられた係合部２５Ａを第２の金属部材３４に弾性的に当接係合させるものとされるので、第１の屈曲板状部材１８Ａの一対の端部２１Ａの夫々が、ハウジング１４が配された配線基板１３の面に沿う方向において弾性揺動するものとなって、その先端部分に設けられた係合部２５Ａを第２の金属部材３４に弾性的に当接係合させる。また、同様に、第２の屈曲板状部材１８Ｂの一対の端部２１Ｂの夫々は、第２の屈曲板状部材１８Ｂにおけるリセプタクルコネクタ１１のハウジング１４の外側面部に沿って伸びる本体部２０Ｂとの連結部分を支点部分とした、ハウジング１４に対する離隔及び近接が可能とされた弾性可動部を形成していて、その先端部分に設けられた係合部２５Ｂを第２の金属部材３４に弾性的に当接係合させるものとされるので、第２の屈曲板状部材１８Ｂの一対の端部２１Ｂの夫々が、ハウジング１４が配された配線基板１３の面に沿う方向において弾性揺動するものとなって、その先端部分に設けられた係合部２５Ｂを第２の金属部材３４に弾性的に当接係合させる。
【００５５】
それにより、第１の金属部材１７を構成する第１の屈曲板状部材１８Ａ及び第２の屈曲板状部材１８Ｂの夫々は、リセプタクルコネクタ１１のハウジング１４が配された配線基板１３の面から突出する方向の寸法の増大をまねくことなく、その一対の端部２１Ａの夫々の先端部分に設けられた係合部２５Ａあるいはその一対の端部２１Ｂの夫々の先端部分に設けられた係合部２５Ｂを比較的大なる弾性押圧力をもって第２の金属部材３４に当接係合させて、プラグコネクタ１２のハウジング３１についてのリセプタクルコネクタ１１のハウジング１４に対する係止を確実に行うことができる。そして、第１の金属部材１７を構成する第１の屈曲板状部材１８Ａ及び第２の屈曲板状部材１８Ｂの夫々が、リセプタクルコネクタ１１のハウジング１４が配された配線基板１３の面から突出する方向の寸法の増大をまねかないものとされることは、リセプタクルコネクタ１１及びそれに係合するプラグコネクタ１２について、それらの厚み寸法を低減させて低背化を図ることができることになる。従って、本願発明に係る相互係合コネクタ装置の一例は、リセプタクルコネクタ１１とプラグコネクタ１２とが相互係合したとき一方を他方に対して機械的に係止する係止手段を、リセプタクルコネクタ１１及びプラグコネクタ１２の厚み寸法を低減させることによる低背化を妨げることなく備えることができるものとなる。
【産業上の利用可能性】
【００５６】
以上のような本願発明に係る相互係合コネクタ装置は、二つの配線基板に夫々取り付けて用いることができる第１及び第２のコネクタを含み、第１及び第２のコネクタが夫々取り付けられた二つの配線基板を、対面近接重ね合わせ連結によって各々に設けられた配線部が電気的に相互接続される状態におくことができる機構を成すものであって、第１及び第２のコネクタが相互係合したとき両コネクタに対して電磁シールド作用をもたらす導電性のシールド部材を、部品点数の増加をまねかない比較的簡単な構成を有するものとして備えることができ、さらに、第１及び第２のコネクタが相互係合したとき一方を他方に対して機械的に係止する係止手段を、第１及び第２のコネクタの厚み寸法を低減させることによる低背化を妨げることなく備えることができるものとして、様々な電子機器等に広く適用され得るものである。
【符号の説明】
【００５７】
１1 ・・・リセプタクルコネクタ（第１のコネクタ），  １２・・・プラグコネクタ（第２のコネクタ），  １３・・・配線基板，  １４・・・ハウジング（第１のハウジング），  １４ａ・・・被取付部，  １４ｂ・・・通路部，  １５・・・リセプタクル側シグナルコンタクト，  １６・・・リセプタクル側グラウンドコンタクト，  １６ａｎ・・・括れ部分，  １７・・・第１の金属部材，  １８Ａ・・・第１の屈曲板状部材，  １８Ｂ・・・第２の屈曲板状部材，  ２０Ａ，２０Ｂ・・・本体部，  ２１Ａ，２１Ｂ・・・端部，  ２２Ａ，２２Ｂ・・・コンタクト係合部，  ２３Ａ，２３Ｂ・・・段部，  ２４Ａ，２４Ｂ・・・取付部，  ２５Ａ，２５Ｂ・・・  係合部，  ３１・・・ハウジング（第２のハウジング），  ３２・・・プラグ側シグナルコンタクト，  ３３・・・プラグ側グラウンドコンタクト，  ３４・・・第２の金属部材，  ３５・・・板状固定部，  ３６・・・折返部，  ３７・・・被係合部
【図１】
2016058270.tif 000003
【図２】
2016058270.tif 000004
【図３】
2016058270.tif 000005
【図４】
2016058270.tif 000006
【図５】
2016058270.tif 000007
【図６】
2016058270.tif 000008
【図７】
2016058270.tif 000009
【図８】
2016058270.tif 000010
【図９】
2016058270.tif 000011
【図１０】
2016058270.tif 000012
【図１１】
2016058270.tif 000013
【図１２】
2016058270.tif 000014